(57)【要約】【課題】移動無線ネットワークにおいて回路交換コールを確立する方法及び移動無線ネットワークを提供する。【解決手段】コアネットワーク(CN)と、ベースステーションサブシステム(BSS)を伴う無線アクセスネットワーク(RA)とを有する移動無線ネットワーク(MRN)内で第１の移動ステーション(MS1)と第２の移動ステーション(MS2)との間に回路交換コールを確立する方法は、コアネットワークにおいて、第１の移動ステーションからの回路交換コール要求を、同じベースステーションサブシステムに通信結合される第２の移動ステーションに着信させるかどうか監視するステップと、第１及び第２の移動ステーションがその同じベースステーションサブシステムに通信結合された場合に、ベースステーションサブシステムのインフラストラクチャー要素(BSC, BTSa, BTSb)を排他的に通して第１及び第２の移動ステーション間にユーザプレーンデータフローを確立するステップとを備えている。【選択図】図２
2011505718.tif 000002
【特許請求の範囲】
【請求項１】
コアネットワーク(CN)と、ベースステーションサブシステム(BSS)を伴う無線アクセスネットワーク(RA)とを有する移動無線ネットワーク(MRN)内で第１の移動ステーション(MS1)と第２の移動ステーション(MS2)との間に回路交換コールを確立する方法において、
前記コアネットワーク(CN)において、前記第１の移動ステーションからの回路交換コール要求を、同じベースステーションサブシステム(BSS)に通信結合される第２の移動ステーション(MS2)に着信させるかどうか監視するステップと、
第１及び第２の移動ステーション(MS1, MS2)が前記同じベースステーションサブシステム(BSS)に通信結合された場合に、前記ベースステーションサブシステム(BSS)のインフラストラクチャー要素(BSC, BTSa, BTSb)を排他的に通して第１の移動ステーションと第２の移動ステーションとの間にユーザプレーンデータフローを確立するステップと、
を備えた方法。
【請求項２】
第１及び第２の移動ステーション(MS1, MS2)が前記同じベースステーションサブシステム(BSS)に通信結合される場合に前記コアネットワーク(CN)から前記無線アクセスネットワーク(RA)へ情報要素を送信するステップを更に備え、この情報要素は、第１の移動ステーション(MS1)と第２の移動ステーション(MS2)との間のローカル回路交換コールを指示する、請求項１に記載の方法。
【請求項３】
前記情報要素は、移動交換センターサーバー(MSC)からコントロールプレーンデータフローを通してベースステーションコントローラ(BSC)へ送信される、請求項２に記載の方法。
【請求項４】
前記ベースステーションサブシステム(BSS)と、前記移動交換センターサーバー(MSC)及び移動交換センター(MSC)のメディアゲートウェイ(MGW)との間のユーザプレーンデータフローをブロックするステップを更に備えた、請求項３に記載の方法。
【請求項５】
前記情報要素は、次のグループ、即ち
第２の移動ステーション(MS2)と移動交換センター(MSC)との間の接続の識別子、
第２の移動ステーション(MS2)のユーザプレーン接続に関連したシグナリング接続の識別子、
第２の移動ステーション(MS2)のＩＰ接続のコアネットワークにおけるＩＰアドレス及びＵＤＰポート、
第２の移動ステーション(MS2)のＩＰ接続の無線アクセスネットワーク(RA)におけるＩＰアドレス及びＵＤＰポート、
第２の移動ステーション(MS2)のＩＰ接続のＡオーバーＩＰコールインスタンスコード、
第２の移動ステーション(MS2)のＩＰ接続のＡオーバーＩＰシグナリング接続識別子、又は
第２の移動ステーション(MS2)のＩＰ接続のＢＳＣにおけるＩＰアドレス及びＵＤＰポート、
のうちの１つである、請求項２から４のいずれかに記載の方法。
【請求項６】
前記コアネットワーク(CN)と無線アクセスネットワーク(RAN)との間の接続は、ＩＰ接続である、請求項１から５のいずれかに記載の方法。
【請求項７】
前記監視ステップは、第１の移動ステーション(MS1)と移動交換センター(MSC)との間のＩＰ接続、及び第２の移動ステーション(MS2)と移動交換センター(MSC)との間の第２のＩＰ接続のＩＰ接続識別子を比較することを含む、請求項６に記載の方法。
【請求項８】
前記ユーザプレーンデータフローを確立するステップは、ベースステーションコントローラ(BSC)又はベーストランシーバステーション(BTS)において第１の移動ステーション(MS1)と移動交換センター(MSC)との間の第１のＩＰ接続を、第２の移動ステーション(MS2)と移動交換センター(MSC)との間の第２のＩＰ接続に合流させることを含む、請求項６又は７に記載の方法。
【請求項９】
前記ベースステーションサブシステム(BSS)のインフラストラクチャー要素(BSC, BTSa, BTSb)は、ベースステーションコントローラ(BSC)又はベーストランシーバステーション(BTS)である、請求項１から８のいずれかに記載の方法。
【請求項１０】
前記移動無線ネットワークは、ＧＳＭ  Ｅｄｇｅ無線アクセスネットワーク(GERAN)である、請求項１から９のいずれかに記載の方法。
【請求項１１】
コアネットワーク(CN)と、ベースステーションサブシステム(BSS)を伴う無線アクセスネットワーク(RA)とを備えた移動無線ネットワーク(MRN)において、請求項１から１０のいずれかに記載の方法を遂行するように実施される移動無線ネットワーク(MRN)。
【請求項１２】
前記ベースステーションサブシステム(BSS)は、ベースステーションコントローラ(BSC)及び複数のベーストランシーバステーション(BTS)を含む、請求項１１に記載の移動無線ネットワーク(MRN)。
【請求項１３】
移動交換センター(MSC)は、移動交換センターサーバー(MSC)及びメディアゲートウェイ(MGW)を含む、請求項１１又は１２に記載の移動無線ネットワーク(MRN)。
【請求項１４】
前記移動無線ネットワークは、ＧＳＭ  Ｅｄｇｅ無線アクセスネットワーク(GERAN)である、請求項１１から１２のいずれかに記載の移動無線ネットワーク(MRN)。
【請求項１５】
移動無線ネットワーク(MRN)のプログラム可能な移動交換センターサーバー(MSC)、メディアゲートウェイ(MGW)、ベースステーションコントローラ(BSC)、及び複数のベーストランシーバステーション(BTS)において請求項１から１０のいずれかに記載の方法を実行するように実施されるコンピュータプログラム製品。
【発明の詳細な説明】
【技術分野】
【０００１】
本発明は、移動無線ネットワークにおいて移動ステーション間に回路交換コールを確立する方法及びそれに対応する移動無線ネットワークに係る。より詳細には、本発明は、移動無線ネットワーク、特に、ＧＳＭ  Ｅｄｇｅ無線ネットワーク（ＧＥＲＡＮ）ネットワークにおいて回路交換（ＣＳ）コールのローカルスイッチングを可能にすることに向けられる。
【背景技術】
【０００２】
ＧＥＲＡＮネットワークは、多数のベースステーションサブシステム（ＢＳＳ）で作られたアクセスネットワークと、ＣＤドメインにおいて多数の移動交換センター（ＭＳＣ）で作られたコアネットワークとを備えている。ＢＳＳは、多数のベーストランシーバステーション（ＢＴＳ）に接続されたベースステーションコントローラ（ＢＳＣ）を備えている。ＭＳＣは、任意ではあるが、コントロールプレーン手順を取り扱うＭＳＣサーバー（ＭＳＣ−Ｓ）と、ユーザプレーンデータを取り扱うメディアゲートウェイ（ＭＧＷ）とに分割することができる。典型的に、１つのＢＳＣが、Ａインターフェイスを経てＭＳＣに接続されるが、おそらくは、例えば、冗長性の理由で、２つ以上のＭＳＣに接続される。又、典型的に、１つのＭＳＣが２つ以上のＢＳＣに接続される。Ａインターフェイスは、ＢＳＳとＭＳＣとを接続するインターフェイスである。
【０００３】
ＧＥＲＡＮのような移動無線ネットワークでは、シグナリング及びユーザプレーンデータフローの両方を含めて、各々のＣＳコールをＭＳＣに通す必要がある。これは、コールを発信するユーザ及びコールを着信又は受信するユーザが、同じＢＳＣにより制御されるＢＴＳに接続された場合にも適用され、即ち１つのＢＳＳ内のローカルコールについても適用される。これが必要とされるのは、移動ステーションがコールを発信するとき、ＢＳＣが、被呼者のアイデンティティに関する情報をもたず、それが同じＢＳＳエリアに位置しているかどうかの情報をもたないからである。コールは、常に、ＭＳＣによって制御され、これは、コールが発信されるＢＳＳに向かう回路（回路アイデンティティコードＣＩＣにより識別される）、及びコールが着信されるＢＳＳに向かう別の回路（他のＣＩＣをもつ）も確立する。発呼者及び被呼者が同じＢＳＳに属する場合には、２つの回路がＢＳＳとＭＳＣとの間に確立される。
【０００４】
「ローカルスイッチング」という語は、ＣＳコールが同じＢＳＳによってサービスされる２つの移動ステーションを含むときにＭＳＣをユーザプレーンデータフローから除外し（又はＭＳＣの機能がＭＳＣ−ＳとＭＧＷとに分割されるときはＭＧＷを除外し）、そしてＣＳコールをターゲットセルへスイッチングするためにＢＳＣに依存するという可能性を指す。その重要な利益の１つは、ＢＳＣとＭＳＣとの間（又はＢＳＣとＭＧＷとの間）のユーザプレーンインターフェイスに２つの回路を確立することを回避でき、又、多量の帯域巾を節約できることである。
【０００５】
上述したように、ローカルスイッチングは、現在、行うことができない。というのは、ＭＳＣによりコールが確立された後であっても、「誰が誰と話すか」相関するための情報をＢＳＣが有していないからである。又、ＢＳＣがこの情報を有するとしても、ＭＳＣ（又はＭＧＷ）に向かう回路が既に確立され、解除することができない。
【０００６】
ユーザプレーンにおいてＩＰベースのＡインターフェイスを定義するために３ＧＰＰ  ＴＳＧ  ＧＥＲＡＮ委員会では実現性の研究が現在行われている（Ｇ２−０７０３０５、“AoIP Motivation, Architecture, Functional Impacts”、ＧＥＲＡＮ  ＷＧ２＃３５ｂｉｓ、及びＧ２−０７０３５９、“Draft Technical Report: A-interface over IP”、ＧＥＲＡＮ  ＷＧ２＃３５ｂｉｓを参照）。
【０００７】
このような提案の主たるアイデアは、ＭＳＣ（又はＭＧＷ）とＢＳＣとの間のユーザプレーン回路をＩＰ接続（即ち、ＩＰアドレス及びＵＤＰポートの対）に置き換え、従って、ＣＩＣをＩＰ接続の識別子（例えば、「ＡオーバーＩＰコールインスタンスコード」）に置き換え、或いはそれと同等であるが、それに関連したシグナリング接続の識別子（例えば、「ＡオーバーＩＰシグナリング接続識別子」）に置き換えることである。
【０００８】
ＡインターフェイスオーバーＩＰ（ユーザプレーンにおける）の標準化は、例えば、容易なネットワーク構成や、ＢＳＳとＭＳＣとの間に圧縮スピーチコーデックを使用して、Ａインターフェイスにおける帯域巾の必要性を減少する可能性、のような多数の目標を有する。３ＧＰＰ  ＴＳ  ４８．００８「移動交換センター／ベースステーションシステム（ＭＳＣ−ＢＳＳ）インターフェイス」には、ＢＳＳとＭＳＣとの間の通信の一般的観点が開示されている。
【０００９】
しかしながら、ローカルＣＳコール（即ち、同じＢＳＣにより制御される２つの移動ステーションを含むコール）については、Ａインターフェイスにおいてある程度の帯域巾を消費することが依然必要である。ローカルスイッチング解決策だけで、Ａインターフェイスに必要とされる帯域巾をゼロにもっていくことができる。
【発明の概要】
【発明が解決しようとする課題】
【００１０】
それ故、本発明の目的は、移動無線ネットワークにおけるコールに対して更なる帯域巾節約及び遅延減少を得ることである。
【課題を解決するための手段】
【００１１】
それ故、移動無線ネットワークにおいて第１の移動ステーションと第２の移動ステーションとの間に回路交換コールを確立するための方法が開示される。移動無線ネットワークは、コアネットワークと、少なくとも１つのベースステーションサブシステムを伴う無線アクセスネットワークとを備えている。この方法は、コアネットワークにおいて、第１の移動ステーションからの回路交換コール要求を、同じベースステーションサブシステムに通信結合される第２の移動ステーションに着信させるかどうか監視することを含む。そして、第１及び第２の移動ステーションが同じベースステーションサブシステムに通信結合された場合に、ベースステーションサブシステムのインフラストラクチャー要素を排他的に通して第１の移動ステーションと第２の移動ステーションとの間にユーザプレーンデータフローを確立することも含む。
【００１２】
従って、ベースステーションサブシステムと移動交換センターとの間に帯域巾を与える必要がないので、ローカルスイッチングを行うことができる。更に、ベースステーションコントローラと移動交換センターの要素との間の従来からのデータフローを含めて送信経路が短縮されたので、コールの遅延が減少される。
【００１３】
この方法は、更に、第１及び第２の移動ステーションが同じベースステーションサブシステムに通信結合される場合に、コアネットワークから無線アクセスネットワークへ情報要素を送信することも含み、この情報要素は、第１の移動ステーションと第２の移動ステーションとの間のローカル回路交換コールを指示する。
【００１４】
情報要素は、例えば、ローカルコールが予想される場合には、「他の当事者情報」を含む。
【００１５】
好ましくは、情報要素は、移動交換センターサーバーからコントロールプレーンデータフローを通してベースステーションコントローラへ送信される。これは、ベースステーションコントローラが、ローカル回路交換コールが確立されるかどうか判断できるようにし、ユーザプレーンデータは、第１の移動ステーションと第２の移動ステーションとの間でベースステーションコントローラ又はベーストランシーバステーションを通して直接的に送信される。後者は、両移動ステーションが同じベーストランシーバステーションに通信結合される場合に実現可能である。
【００１６】
回路交換コールを確立するための方法のある態様によれば、ベースステーションサブシステムと移動交換センターサーバーとの間、及び移動交換センターのメディアゲートウェイとベースステーションサブシステムとの間のユーザプレーンデータフローがブロックされる。これは、例えば、第１及び第２の移動ステーションと、移動交換センターとの間に確立されたＩＰ接続が保持されるが、これらの接続を通してデータが交換されないことを意味する。むしろ、２つの移動ステーション間のデータは、ベースステーションサブシステムを経て交換される。
【００１７】
回路交換コアを確立するための方法において、情報要素は、次の通りである。
−  第２の移動ステーションと移動交換センターとの間の接続のための識別子、
−  第２の移動ステーションのユーザプレーン接続に関連したシグナリング接続の識別子、
−  第２の移動ステーションのＩＰ接続の無線アクセスネットワークにおけるＩＰアドレス及びＵＤＰポート、
−  第２の移動ステーションのＩＰ接続の「ＡオーバーＩＰコールインスタンスコード」、
−  第２の移動ステーションのＩＰ接続の「ＡオーバーＩＰシグナリング接続識別子」、又は
−  第２の移動ステーションのＩＰ接続のＢＳＣにおけるＩＰアドレス及びＵＤＰポート。
【００１８】
無線アクセスネットワークを経てＭＳＣとメディアゲートウェイ及びＢＳＣとの間に新たなＩＰ接続を確立するメッセージに対して「他の当事者情報」を含む任意の情報エレメントは、２つの接続を識別及び相関させると共に、それらを合流できるようにする。次いで、直接的な通信が与えられ、それは、コアネットワークをユーザプレーンデータフローから除外する。
【００１９】
それ故、この方法では、監視は、第１の移動ステーションと移動交換センターとの間の第１のＩＰ接続、及び第２の移動ステーションと移動交換センターとの間の第２のＩＰ接続のＩＰ接続識別子を比較することも含む。
【００２０】
又、ユーザプレーンデータフローの確立は、ベースステーションコントローラ又はベーストランシーバステーションにおいて第１の移動ステーションと移動交換センターとの間の第１のＩＰ接続を、第２の移動ステーションと移動交換センターとの間の第２のＩＰ接続に合流させることを含む。
【００２１】
好ましくは、移動無線ネットワークは、ＧＳＭ／ＥＤＧＥ無線アクセスネットワーク（ＧＥＲＡＮ）として実施される。
【００２２】
又、本発明は、コアネットワークと、ベースステーションサブシステムを伴う無線アクセスネットワークとを備えた移動無線ネットワークにおいて、上述した回路交換コールを確立するための方法を遂行するように実施される移動無線ネットワークも提供する。
【００２３】
更に、少なくとも、移動交換センターサーバー、メディアゲートウェイ、ベースステーションコントローラ、及び複数のベーストランシーバステーションを備えた移動無線ネットワークにおいて他のステーションとの間に回路交換コールを確立するための方法を実行するように実施されるコンピュータプログラム製品が請求項に述べられる。
【００２４】
更に、前記コンピュータプログラム製品が記憶された記録メディアを提供することもできる。ここでは、コンピュータプログラム製品は、磁気メディア、光学的メディア、ハードディスク、ＵＳＢメモリスティック、等を含む既知の形式のデータ記憶メディアを含む記録メディアにおいて実現することができる。又、コンピュータプログラム製品は、例えば、インターネットにおいてサーバーにより与えられるダウンロード可能なファイルとして実施することもできる。
【００２５】
以下、添付図面を参照して、本発明の幾つかの態様を説明する。
【図面の簡単な説明】
【００２６】
【図１】ＭＳＣ（ＭＧＷ）において交換されるローカルコールを例示するブロック図である。
【図２】ローカルスイッチングがＢＳＣにおいて行われるローカルコールを例示するブロック図である。
【発明を実施するための形態】
【００２７】
添付図面において、同じ及び機能的に同じ要素に同じ参照符号が指定されている。図１は、例えば、コアネットワーク及びベースステーションサブシステムを備えたＵＭＴＳネットワークの一部分として実施される移動無線ネットワークＭＲＮの一部分を示している。ベースステーションサブシステムＢＳＳは、通常、無線アクセス（ＲＡ）ネットワークに含まれる。又、これは、ＵＭＴＳ地上無線アクセスネットワーク（ＵＴＲＡＮ）も備えている。ここでＢＳＳとして考えられるＧＭＳ／ＥＤＧＥ無線アクセスネットワークは、ＧＥＲＡＮとしても知られている。
【００２８】
コアネットワークＣＮは、例えば、ＭＳＣサーバー及びメディアゲートウェイＭＧＷを有する移動交換センターＭＳＣを備えている。ベースステーションサブシステムＢＳＳは、通常、複数のベーストランシーバステーションＢＴＳａ、ＢＴＳｂに通信結合されたベースステーションコントローラＢＳＣを備えている。ベーストランシーバステーションＢＴＳａ、ＢＴＳｂは、ユーザ装置、例えば、移動電話、ＰＤＡ、適切に装備されたラップトップコンピュータ、等に実際の無線結合を与える。図１は、第１のベースステーションＭＳ１及び第２のベースステーションＭＳ２を示している。ＭＳ１及びＭＳ２は、両方とも、ベーストランシーバステーションＢＴＳａ、ＢＴＳｂに各々結合される。ベーストランシーバステーションＢＴＳａ、ＢＴＳｂは、ベースステーションコントローラＢＳＣに結合される。
【００２９】
図中、コントロールプレーン信号経路は、破線で示されており、そしてユーザプレーンデータ経路は、実線で示されている。ＵＭＴＳシステムにおいて、回路交換コールがユーザ装置との間で開始された場合でも、実際のデータ送信は、ＩＰテクノロジーにより構成され、それ故、パケット指向である。
【００３０】
慣習的に、例えば、移動電話ＭＳ１から移動電話ＭＳ２へのコールを確立すべき場合には、ＭＳ１からＢＴＳａ及びＢＳＣを経て移動交換センターサーバーＭＳＣサーバーへ至るコントロールプレーン信号経路が確立される。ベースステーションコントローラＢＳＣとコアネットワークとの間では、３ＧＰＰ規格がコントロールプレーン及びユーザプレーンに対して「Ａインターフェイス」を与える。原理的に、両セルラー電話ＭＳ１、ＭＳ２は、コアネットワークへのコントロールプレーン信号経路にＩＰ接続を有する。
【００３１】
慣習的に、両当事者又はセルラー電話ＭＳ１及びＭＳ２がコールを確立する場合、それは、メディアゲートウェイＭＧＷを通して与えられる。メディアゲートウェイＭＧＷは、ＢＳＣ及びＢＴＳａを経て第１の移動ステーション又は電話ＭＳ１へのＩＰデータ接続１を確立する。更に、メディアゲートウェイＭＧＷは、ＢＳＣ及びＢＴＳｂへの接続を経て第２のセルラー電話即ち移動ステーションＭＳ２への第２のＩＰ接続（「データ接続２」として示された）を確立する。両当事者即ち第１及び第２の移動ステーションＭＳ１及びＭＳ２が同じベースステーションコントローラＢＳＣに通信結合されるか又は同じベースステーションサブシステムに属することを確認できる場合には、ベースステーションコントローラＢＳＣと、コアネットワークＣＮ、特に、メディアゲートウェイＭＧＷとの間に帯域巾を生成せずに、直接的なユーザプレーンデータ経路を確立することができる。
【００３２】
それ故、ＭＳＣ又はＭＧＷとＢＳＣとの間の新たなＩＰ接続が確立されたときに使用される「他の当事者の情報」を含む任意の情報要素が与えられる。無線アクセスネットワーク、特に、ＢＳＣ又はＢＴＳが、２つのＩＰ接続、即ちＭＳ１とＭＧＷとの間の第１の接続、及びＭＳ２とＭＧＷとの間の第２の接続、に対してこの付加的な情報要素を受け取る場合には、その両方を、コアネットワークＣＮを迂回する１つのユーザプレーンデータフローへと合流させることができる。その結果、ローカル回路交換コールが発生される。
【００３３】
その結果、図２に示すように、ユーザプレーンデータ経路（実線）は、第１の移動ステーション又はセルラー電話ＭＳ１から、それに関連したベーストランシーバステーションＢＴＳａ、ベースステーションコントローラＢＳＣ、及び関連ベーストランシーバステーションＢＴＳｂを通して、第２のセルラー電話又は移動ステーションＭＳ２へと直接的に延びる。ここでは、コアネットワークＣＮへと送信されるデータはない。
【００３４】
情報要素は、コール設定にとにかく使用されるメッセージにおける任意のフィールドにより実現することができる。例えば、コール設定のためのメッセージ“ASSIGNMENT REQUEST(指定要求)”には、いわゆる「他の当事者の情報」が挿入されるデータフィールドを設けることができる。又、“HANDOVER REQUEST(ハンドオーバー要求)”メッセージにも、任意のフィールドを設けることができる。これは、インターＢＳＳハンドオーバーを遂行すべき場合に有用である。これは、移動ステーションが実際のＢＴＳのカバレージエリアを去って、異なるＢＳＣに関連した別のＢＴＳにログオンする場合に、ＢＳＳにおける排他的なローカルスイッチングを中断し、ＭＳＣへの通常のスイッチングを遂行しなければならない。
【００３５】
情報要素に関する「他の当事者情報」は、ＭＳＣサーバーにより、考慮中のＢＳＳとの新たなＩＰ接続を確立するのに必要な任意のメッセージに含ませられる。好都合なことに、コアネットワークＣＮのＭＳＣにおいて、同じＢＳＳに属する移動ステーションに第２のＩＰ接続を着信させるべきであることが検出された場合だけ、付加的な情報要素がメッセージに追加される。
【００３６】
これは、例えば、図２において、移動ステーションＭＳ１及び移動ステーションＭＳ２がＢＴＳａ及びＢＴＳｂを通して同じＢＳＣに結合される場合である。ここでは、図１に示されたデータ接続１、データ接続２のデータ接続が切断され、そして合流されるユーザプレーンデータ経路がＢＳＣを通して直接確立される。更に、コントロールプレーンシグナリング経路（破線）におけるシグナリング接続１及びシグナリング接続２のシグナリング接続は、ＭＳＣサーバーとのＡインターフェイスを通してアクティブに保つことができる。ここに提案する方法の変形態様では、例えば、合法的傍受の場合にＣＳコールを監視のためにコアネットワークＣＮに通す必要がある場合には、ＭＳＣが、ローカルスイッチコールを許す情報要素を含むのを控えることも考えられる。
【００３７】
例えば、ＢＳＳがＡオーバーＩＰコールインスタンスコードを実際にローカルスイッチングできるようにする情報要素を使用することができる。或いは又、第２の移動ステーションＭＳ２のＩＰ接続のＡオーバーＩＰシグナリング接続識別子、第２の移動ステーションＭＳ２のＩＰ接続のＭＳＣ又はＭＧＷにおけるＵＤＰポートのＩＰアドレス、又は第２の移動ステーションＭＳ２のＩＰ接続のＢＳＣにおけるＵＤＰポートのＩＰアドレスを、「他の当事者」として使用することもできる。付加的な情報要素を含むメッセージがＢＳＳにより確認されると、２つの識別されたＩＰ接続を相関させて一緒にまとめることができる。ここで、ユーザプレーンデータフローからＭＳＣ又はＭＧＷが除外されたローカルスイッチンが達成される。上述したように、ＭＳＣへの２つのＩＰ接続は、解除する必要がない。むしろ、ＭＳＣ又はＭＧＷは、これら接続を通してデータを受け取ることを除外するものではない。当該ＩＰ接続の１つがＭＳＣにより解除されると、各移動ステーションからＭＳＣ又はＭＧＷへのユーザプレーンデータフローがＢＳＣによって再スタートされる。これは、出て行くインターＢＳＳハンドオーバーが、ＢＳＳカバレージエリアから移動する移動ステーションに対して遂行されるときに生じる。
【００３８】
この方法及びそれに対応する無線ネットワークの別の実施形態では、２つの移動ステーション、例えば、図２のＭＳ２及びＭＳ３に関するユーザプレーンフローをＢＴＳレベルで予め合流させることができる。例えば、セルラー電話ＭＳ２及びＭＳ３は、両方とも、同じＢＴＳｂに通信結合される。ローカルスイッチングは、ＢＴＳレベルで行うことができる。ここで、これら２つの当事者ＭＳ２及びＭＳ３間の実際のデータ転送をＢＳＣから除外することもできる。図２では、これは、ＭＳ２とＭＳ３との間のユーザプレーンデータ経路に対応する一点鎖線で示されている。この場合も、この状態においてコアネットワークＣＮにより帯域巾を与える必要はない。
【００３９】
移動ステーション間に回路交換コールを確立するための方法及びシステムの結果として、各コールにおける帯域巾節約及び遅延減少が達成される。特に、ＵＭＴＳアーキテクチャーでは、Ａインターフェイスにおける帯域巾が、従来のスイッチングプロセスに対してあまり消費されない。
【符号の説明】
【００４０】
ＧＥＲＡＮ：ＧＭＳ  Ｅｄｇｅ無線ネットワーク
ＢＳＳ：ベースステーションサブシステム
ＢＳＣ：ベースステーションコントローラ
ＢＴＳ：ベーストランシーバステーション
ＭＧＷ：メディアゲートウェイ
ＭＳＣ：移動交換センター
ＣＮ：コアネットワーク
ＭＳ１、ＭＳ２：移動ステーション
【図１】
2011505718.tif 000003
【図２】
2011505718.tif 000004
【国際調査報告】
2011505718.tif 000005
2011505718.tif 000006